(57)【要約】【課題】ショーケース本体内にスライド棚を設けた場合であっても、ショーケース本体内に十分な商品陳列スペースを確保することができるショーケースを提供する。【解決手段】ショーケース本体３の内周部に上下方向に立設される複数本の支柱６ａと、支柱６ａに取付けられ、ショーケース本体３の内周部に沿って設けられる固定板５と、固定板５に取付けられ、方向にスライド可能なスライド棚９と、を備える。このため、スライド可能なスライド棚を取付けるためには、ショーケース本体のショーケース本体の内周部に沿って固定板を支柱に取付けるだけでよく、ショーケース本体内における上下方向の商品陳列スペースを狭くすることなくスライド棚を取付けることができる。しかも、ショーケース本体の内周部に沿って位置する固定板の上に商品を陳列することができるので、ショーケース本体内の水平方向の商品陳列スペースを広くすることができる。【選択図】図４
2016209289.tif 000002
【特許請求の範囲】
【請求項１】
ショーケース本体の内周部に上下方向に立設される複数本の支柱と、
前記支柱に取付けられ、前記ショーケース本体の内周部に沿って設けられる固定板と、
前記固定板に取付けられ、前後方向にスライド可能なスライド棚と、
を備えるショーケース。
【請求項２】
前記支柱に支持金具が取付けられ、
前記固定板は前記支持金具に支持されていることを特徴とする請求項１記載のショーケース。
【請求項３】
前記固定板に設けられて前後方向に延出する固定側レールと、
前記スライド棚に設けられ、前後方向に延出して前記固定側レールにスライド可能に連結される可動側レールと、
を備えることを特徴とする請求項１又は２記載のショーケース。
【請求項４】
前記固定板の奥側部分に脱落防止金具が設けられ、
前記脱落防止金具は、前記ショーケース本体の奥側に設けられる前記支柱に取付けられる前記支持金具に対して係脱可能に設けられていることを特徴とする請求項１ないし３のいずれか一項に記載のショーケース。
【請求項５】
前記スライド棚は、前記可動側レールを備えたスライド棚フレームと、
前記スライド棚フレーム上に着脱可能に取付けられる載置面部と、
を備えることを特徴とする請求項１ないし４のいずれか一項に記載のショーケース。
【発明の詳細な説明】
【技術分野】
【０００１】
本発明は、ショーケース本体内に前後方向にスライド可能なスライド棚を備えるショーケースに関する。
【背景技術】
【０００２】
従来、ショーケース本体内に設けられた陳列棚に商品を陳列して販売するショーケースにおいては、陳列棚への商品の陳列作業を容易にするため、陳列棚を前後方向にスライド可能なスライド棚としたものが知られている。そのようなスライド棚を使用したショーケースとしては、例えば、下記特許文献１に記載されたものが知られている。
【０００３】
下記特許文献１に記載されたショーケースでは、ショーケース本体内に位置固定に固定台が設けられ、この固定台の上にスライドレール機構が設けられ、このスライドレール機構によりスライド棚がスライド可能に支持されている。
【先行技術文献】
【特許文献】
【０００４】
【特許文献１】特開平０５−１３０９２７号公報
【発明の概要】
【発明が解決しようとする課題】
【０００５】
しかしながら、特許文献１に記載されているショーケースでは、固定台とスライド棚との間に、商品を陳列するためには利用されないスペースができてしまい、ショーケース本体内における商品を陳列することができる上下方向のスペースが狭くなり、商品の陳列量が少なくなるという問題がある。
【０００６】
本発明は、このような課題を解決するためになされたものであり、その目的は、ショーケース本体内にスライド棚を設けた場合であっても、ショーケース本体内に十分な商品陳列スペースを確保することができるショーケースを提供することである。
【課題を解決するための手段】
【０００７】
本発明に係るショーケースは、ショーケース本体の内周部に上下方向に立設される複数本の支柱と、前記支柱に取付けられ、前記ショーケース本体の内周部に沿って設けられる固定板と、前記固定板に取付けられ、前後方向にスライド可能なスライド棚と、を備える。
【０００８】
また、前述の本発明に係るショーケースにおいて、前記支柱に支持金具が取付けられ、前記固定板は前記支持金具に支持されていることが望ましい。
【０００９】
また、前述の本発明に係るショーケースにおいて、前記固定板に設けられて前後方向に延出する固定側レールと、前記スライド棚に設けられ、前後方向に延出して前記固定側レールにスライド可能に連結される可動側レールと、を備えることが望ましい。
【００１０】
また、前述の本発明に係るショーケースにおいて、前記固定板の奥側部分に脱落防止金具が設けられ、前記脱落防止金具は、前記ショーケース本体の奥側に設けられる前記支柱に取付けられる前記支持金具に対して係脱可能に設けられていることが望ましい。
【００１１】
また、前述の本発明に係るショーケースにおいて、前記スライド棚は、前記可動側レールを備えたスライド棚フレームと、前記スライド棚フレーム上に着脱可能に取付けられる載置面部と、を備えることが望ましい。
【発明の効果】
【００１２】
本発明に係るショーケースは、ショーケース本体の内周部に複数の支柱が立設され、ショーケース本体の内周部に沿って設けられる固定板がこれらの支柱に取付けられ、前後方向にスライド可能なスライド棚が固定板に取付けられている。このため、スライド可能なスライド棚を取付けるためには、ショーケース本体の内周部に沿って固定板を支柱に取付けるだけでよく、ショーケース本体内における上下方向の商品陳列スペースを狭くすることなくスライド棚を取付けることができる。しかも、ショーケース本体の内周部に沿って位置する固定板の上に商品を陳列することができるので、ショーケース本体内の水平方向の商品陳列スペースを広くすることができる。
【００１３】
また、支柱に支持金具が取付けられ、固定板は支持金具に支持されている。このため、支柱への固定板の取付けを簡単な構成で行うことができる。
【００１４】
また、固定板に設けられた固定側レールと、スライド棚に設けられて固定側レールにスライド可能に連結される可動側レールとを有している。このため、これらの固定側レールと可動側レールとを連結することによりスライド棚を前後方向にスライド可能に取付けることができる。
【００１５】
また、固定板の奥側部分に脱落防止金具が設けられ、この脱落防止金具は、ショーケース本体の奥側に設けられる支柱に取付けられる支持金具に対して係脱可能に設けられている。このため、脱落防止金具を支持金具に係合させることにより、スライド棚を前方側へスライドさせた場合にスライド棚の前方側に荷重が作用しても、固定板の奥側部分が跳ね上がることやそれに伴ってスライド棚が前下がりに傾斜することを防止することができる。
【００１６】
また、スライド棚は、可動側レールを備えたスライド棚フレームと、スライド棚フレーム上に着脱可能に取付けられる載置面部とを備えている。このため、スライド棚フレームから載置面部を取外しておくことにより、固定板へのスライド棚の取付けや脱落防止金具の調整を容易に行うことができる。
【図面の簡単な説明】
【００１７】
【図１】本発明の一実施形態のショーケースを示す斜視図である。
【図２】ショーケース本体における固定板の取付構造を示す平面図である。
【図３】（ａ）は脱落防止金具の係合爪が支持金具の係合溝に係合された状態、（ｂ）は脱落防止部材の係合爪が支持金具の係合溝との係合が解除された状態を示す正面図である。
【図４】固定板へのスライド棚の取付構造を示す正面図である。
【図５】スライド棚がショーケース本体内に位置する状態を示す平面図である。
【図６】スライド棚をスライドさせてショーケース本体外に引き出した状態を示す平面図である。
【発明を実施するための形態】
【００１８】
本発明の一実施形態のショーケースであるリーチインショーケース１について、図面に基づいて説明する。図１は、リーチインショーケース１を示す斜視図である。このリーチインショーケース１は、前面に開口２が形成された箱形状のショーケース本体３を有し、ショーケース本体３には開口２を開閉するガラス扉４が取付けられている。
【００１９】
ショーケース本体３内には、商品が陳列される後述するスライド棚を取付けるための部材である固定板５が設けられている。図２は、この固定板５の取付構造を示す平面図である。ショーケース本体３の内周部には、ショーケース本体３の側面部３ａに沿って上下方向に延出する一対の支柱６ａと、ショーケース本体３の背面部３ｂに沿って上下方向に延出する一対の支柱６ｂとが固定されている。これらの支柱６ａ、６ｂにはそれぞれ支持金具７が取付けられている。図２においては、各支柱６ａ、６ｂに取付けられた支持金具７が１つずつ示されているが、各支柱６ａ、６ｂには上下方向に沿って複数個の支持金具７が取付けられている。各支柱６ａ、６ｂに取付けられる支持金具７の数は、ショーケース本体３内に設けられるスライド棚の数と同じである。例えば、ショーケース本体３内に４段のスライド棚が設けられる場合には、各支柱６ａ、６ｂには上下方向に支持金具７が４個ずつ取付けられている。また、各支持金具７は、上下方向に沿って位置調節可能に支柱６ａ、６ｂに取付けられている。
【００２０】
固定板５は、側面部３ａに沿って前後方向に延出する一対の側面側固定板５ａと、背面部３ｂに沿って左右方向に延出する背面側固定板５ｂとからなる略Ｕ字形に形成され、支柱６ａ、６ｂに取付けられた支持金具７の上に載置されている。また、背面側固定板５ｂの下面側には脱落防止金具８が取付けられ、この脱落防止金具８が支柱６ｂに取付けられた支持金具７に係合されることにより固定板５がロックされている。
【００２１】
図３は、脱落防止金具８と支持金具７とによる固定板５のロックについて説明する正面図である。背面側固定板５ｂに取付けられた脱落防止金具８には、スライド可能な係合爪８ａと、この係合爪８ａを左右方向にスライドさせるとともに係合位置又は係合解除位置で係合爪８ａを固定する操作ネジ８ｂとが設けられている。固定板５を支持金具７の上に載置した場合、支柱６ｂに取付けられた支持金具７と脱落防止金具８とが隣合って位置している。支持金具７には、スライドした係合爪８ａが係合される係合溝７ａが形成されている。スライドする係合爪８ａは係合溝７ａに対して係脱可能であり、図３（ａ）に示すように係合爪８ａを係合溝７ａに係合させることができ、また、図３（ｂ）に示すように係合爪８ａと係合溝７ａとの係合を解除させることができる。
【００２２】
図４は、固定板５へのスライド棚９の取付構造を示す正面図である。スライド棚９は、四角い枠状のスライド棚フレーム１０と、このスライド棚フレーム１０上に着脱可能に取付けられる載置面部１１とを備えている。スライド棚フレーム１０における側面側固定板５ａに隣接する部分には、スライド棚９上に陳列された商品が側面側固定板５ａの方向に転倒することを阻止するためのする転倒阻止板１２が前後方向に延出して設けられている。
【００２３】
固定板５における側面側固定板５ａには、前後方向に延出する固定側レール１３が設けられている。また、スライド棚フレーム１０には、前後方向に延出する可動側レール１４が設けられている。これらの固定側レール１３と可動側レール１４とは対向させて配置され、その間に設けられるベアリング機構１５を介してスライド可能に連結されている。
【００２４】
図５は、スライド棚９がショーケース本体３内に位置する状態を示す平面図であり、スライド側フレーム１０上には載置面部１１が取付けられている。図６は、スライド棚９をスライドさせてショーケース本体３外に引き出した状態を示す平面図である。
【００２５】
このような構成において、このリーチインショーケース１には、ショーケース本体３内に前後方向にスライド可能にスライド棚９が設けられており、スライド棚９上に商品を陳列する場合には、図６に示すようにスライド棚９を手前側にスライドさせてショーケース本体３外に引き出した状態で行う。このため、スライド棚９上への商品陳列作業を容易に行うことができる。スライド棚９上への庁品陳列作業が終了した後は、図５に示すようにスライド棚９をショーケース本体３内にスライドさせ、図示しないマグネットによりスライド棚９をロックする。
【００２６】
スライド棚９の前後方向へのスライド可能な取付けは、ショーケース本体３の内周部に沿って固定板５を取付け、この固定板５の固定側レール１３とスライド棚９との可動側レール１４とをベアリング機構１５を介して連結することにより行われている。このため、スライド棚９の上下方向の厚み寸法を小さく抑えることができ、ショーケース本体３内における上下方向の商品陳列スペースを狭くすることなくスライド棚９を取付けることができる。
【００２７】
さらに、ショーケース本体３の内周部に沿って位置する固定板５の上に商品を陳列することができるので、ショーケース本体３内の水平方向の商品陳列スペースを広くすることができる。
【００２８】
ショーケース本体３の内周部への固定板５の取付けは、ショーケース本体３の内周部に上下方向に立設された支柱６ａ、６ｂに支持金具７を取付け、この支持金具７の上に固定板５を載置することにより行われている。このため、支柱６ａ、６ｂへの固定板５の取付けを簡単な構成で行うことができる。
【００２９】
ここで、支柱６ａ、６ｂと支持金具７とは、前後方向にスライドできない固定式陳列棚を有するリーチインショーケースにおいても、その固定式陳列棚を支持するために使用されているものと同じ構造のものを使用することができる。このため、固定式陳列棚を有する既存のリーチインショーケースをスライド可能なスライド棚９を有するように変更する場合には、支柱６ａ、６ｂと支持金具７を引き続き使用することができ、固定式陳列棚を有するリーチインショーケースからスライド棚９を有するリーチインショーケース１への変更を容易に行うことができる。
【００３０】
また、背面側固定板５ｂに脱落防止金具８が設けられ、この脱落防止金具８には、支柱６ｂに取付けられる支持金具７の係合溝７ａに係合される係合爪８ａがスライド可能に設けられている。このため、固定板５を支持金具７の上に載置した後、係合爪８ａをスライドさせて係合溝７ａに係合させることにより、固定板５に取付けられているスライド棚９を手前側にスライドさせてスライド棚９の前方側に荷重が作用した場合でも、固定板５の奥側部分が跳ね上がることやそれに伴ってスライド棚９が前下がりに傾斜することを防止することができる。
【００３１】
また、スライド棚９は、スライド棚フレーム１０と、スライド棚フレーム１０上に着脱可能に取付けられる載置面部１１とを備えており、必要に応じてスライド棚フレーム１０から載置面部１１を取外すことができる。スライド棚９を固定板５に取付ける場合には、載置面部１１を取外した状態で行うことができ、これにより、固定側レール１３と可動側レール１４との連結や脱落防止金具８の調整等を容易に行うことができる。
【符号の説明】
【００３２】
１    リーチインショーケース（ショーケース）
２    開口
３    ショーケース本体
４    ガラス扉
５    固定板
５ａ  側面側固定板
５ｂ  背面側固定板
６ａ  支柱
６ｂ  支柱
７    支持金具
７ａ  係合溝
８    脱落防止金具
８ａ  係合爪
８ｂ  操作ネジ
９    スライド棚
１０    スライド棚フレーム
１１    載置面部
１２    転倒防止板
１３    固定側レール
１４    可動側レール
１５    ベアリング機構
【図１】
2016209289.tif 000003
【図２】
2016209289.tif 000004
【図３】
2016209289.tif 000005
【図４】
2016209289.tif 000006
【図５】
2016209289.tif 000007
【図６】
2016209289.tif 000008